(57)【要約】      （修正有）【課題】メンテナンスが簡単で、省エネルギーのエコ型空気浄化デバイスの提供。【解決手段】メンテナンスユニット１、第二の強磁性棒２、集塵風機３および濾過チャンバー８を含み、メンテナンスユニットの底端に濾過チャンバーが設けられ、濾過チャンバーの頂端に対称的に第二の強磁性棒が設けられ、第二の強磁性棒の底端に集塵風機が設けられ、集塵風機の一側に浄化チャンバー５が設けられ、浄化チャンバーの内部に活性炭吸着網６が設けられ、活性炭吸着網の底端に進風口７が設けられる。メンテナンスユニットを設けることにより、デバイスメンテナンスの便利性を向上し、風機調節ユニットを設けることにより、エネルギーの消耗を低減させる。【選択図】図１
0003224362.tif 000002
【実用新案登録請求の範囲】
【請求項１】
メンテナンスユニット（１）、第二の強磁性棒（２）、集塵風機（３）および濾過チャ
ンバー（８）を含むエコ型空気浄化デバイスであって、前記メンテナンスユニット（１）
の底端に濾過チャンバー（８）が設けられ、前記濾過チャンバー（８）の頂端に対称的に
第二の強磁性棒（２）が設けられ、前記第二の強磁性棒（２）の底端に集塵風機（３）が
設けられ、前記集塵風機（３）の一側に浄化チャンバー（５）が設けられ、前記浄化チャ
ンバー（５）の内部に活性炭吸着網（６）が設けられ、前記活性炭吸着網（６）の底端に
進風口（７）が設けられ、前記進風口（７）の底端に風機調節ユニット（４）が設けられ
ており、
前記メンテナンスユニット（１）は固定フィンガータッピング（１１）、第一の強磁性
棒（１２）、緩衝ピン（１３）、グリル濾過メッシュ（１４）、繊維濾過メッシュ（１５
）、透明頂蓋（１６）、扇風機（１７）および凸レンズ（１８）を含み、前記透明頂蓋（
１６）の一側に対称的に第一の強磁性棒（１２）が設けられ、前記第一の強磁性棒（１２
）の頂端に固定フィンガータッピング（１１）が設けられ、前記第一の強磁性棒（１２）
の一側に緩衝ピン（１３）が設けられ、前記緩衝ピン（１３）における第一の強磁性棒（
１２）と反対側にグリル濾過メッシュ（１４）が設けられ、前記グリル濾過メッシュ（１
４）における緩衝ピン（１３）と反対側に繊維濾過メッシュ（１５）が設けられ、前記繊
維濾過メッシュ（１５）の一側に扇風機（１７）が設けられ、前記扇風機（１７）の頂端
の一側に対称的に凸レンズ（１８）が設けられており、
前記風機調節ユニット（４）は回転底板（４１）、電気制御パネル（４２）、ステップ
モータ（４３）、ほこり検測センサ（４４）、固定ベース（４５）、締結ボルト（４６）
および免震バネ（４７）を含み、前記固定ベース（４５）の内部に電気制御パネル（４２
）が設けられ、前記電気制御パネル（４２）の一側にステップモータ（４３）が設けられ
、前記ステップモータ（４３）における電気制御パネル（４２）と反対側にほこり検測セ
ンサ（４４）が設けられ、前記ほこり検測センサ（４４）の頂端に回転底板（４１）が設
けられ、前記回転底板（４１）の内部に均一に間隔をおいて対称的に免震バネ（４７）が
設けられ、前記免震バネ（４７）の一側に締結ボルト（４６）が設けられていることを特
徴とするエコ型空気浄化デバイス。
【請求項２】
前記濾過チャンバー（８）の頂端における緩衝ピン（１３）に対応する位置に固定溝が
設けられ、且つ固定溝の底端に緩和パッドが設けられていることを特徴とする請求項１に
記載のエコ型空気浄化デバイス。
【請求項３】
前記集塵風機（３）と濾過チャンバー（８）の接続位置に免震パッドが取付けられてい
ることを特徴とする請求項１に記載のエコ型空気浄化デバイス。
【請求項４】
前記浄化チャンバー（５）は両段を備えており、且つ底段部分は進風口（７）とし、頂
段部分は封止リングとすることを特徴とする請求項１に記載のエコ型空気浄化デバイス。
【請求項５】
前記グリル濾過メッシュ（１４）と繊維濾過メッシュ（１５）はストッパピンにより透
明頂蓋（１６）の底端表面に取付けられていることを特徴とする請求項１に記載のエコ型
空気浄化デバイス。
【考案の詳細な説明】
【技術分野】
【０００１】
本実用新案は空気浄化デバイスの技術分野に関し、具体的にエコ型空気浄化デバイスに
関する。
【従来の技術】
【０００２】
空気清浄器には様々な技術と媒体があり、清潔で安全な空気をユーザに提供できるよう
にしている。一般的な空気浄化技術には、吸着技術、マイナス（正）イオン技術、触媒技
術、光触媒技術、超構造光鉱化技術、ＨＥＰＡ高効率濾過技術、静電気集塵技術などがあ
る。材料技術には主に、光触媒、活性炭、合成繊維、濾過高効率材料、マイナスイオン発
生器などがある。従来の空気清浄器は複合型を採用することが多く、すなわち、同時に多
種類の浄化技術や材料媒体を採用する。
【０００３】
ところが、従来のエコ空気浄化デバイスは使用時において便利なメンテナンス部品を設
置していなく、浄化デバイス内部のフィルターが長時間で使用された後、掃除や交換が難
しくなり、浄化効率に影響を与え、浄化効果を下げ、二次汚染を引き起こしやすく、人体
の健康を脅かすことになる。
一方、使用中に風機調節ユニットもなく、人力や物資を浪費し、エコの目的を達成でき
なく、デバイスの正常な使用に影響を与える。
【考案の概要】
【０００４】
上記背景技術に提出した課題を解決するために、本実用新案は以下の技術を提出してい
る。すなわち、メンテナンスが簡単で、省エネルギーのものであるエコ型空気浄化デバイ
スを提供する。
【０００５】
上記の目的を達成するために、本実用新案は以下の技術を提出している。すなわち、メ
ンテナンスユニット、第二の強磁性棒、集塵風機および濾過チャンバーを含むエコ型空気
浄化デバイスであって、前記メンテナンスユニットの底端に濾過チャンバーが設けられ、
前記濾過チャンバーの頂端に対称的に第二の強磁性棒が設けられ、前記第二の強磁性棒の
底端に集塵風機が設けられ、前記集塵風機の一側に浄化チャンバーが設けられ、前記浄化
チャンバーの内部に活性炭吸着網が設けられ、前記活性炭吸着網の底端に進風口が設けら
れ、前記進風口の底端に風機調節ユニットが設けられており、前記メンテナンスユニット
は固定フィンガータッピング、第一の強磁性棒、緩衝ピン、グリル濾過メッシュ、繊維濾
過メッシュ、透明頂蓋、扇風機および凸レンズを含み、前記透明頂蓋の一側に対称的に第
一の強磁性棒が設けられ、前記第一の強磁性棒の頂端に固定フィンガータッピングが設け
られ、前記第一の強磁性棒の一側に緩衝ピンが設けられ、前記緩衝ピンにおける第一の強
磁性棒と反対側にグリル濾過メッシュが設けられ、前記グリル濾過メッシュにおける緩衝
ピンと反対側に繊維濾過メッシュが設けられ、前記繊維濾過メッシュの一側に扇風機が設
けられ、前記扇風機の頂端の一側に対称的に凸レンズが設けられており、前記風機調節ユ
ニットは回転底板、電気制御パネル、ステップモータ、ほこり検測センサ、固定ベース、
締結ボルトおよび免震バネを含み、前記固定ベースの内部に電気制御パネルが設けられ、
前記電気制御パネルの一側にステップモータが設けられ、前記ステップモータにおける電
気制御パネルと反対側にほこり検測センサが設けられ、前記ほこり検測センサの頂端に回
転底板が設けられ、前記回転底板の内部に均一に間隔をおいて対称的に免震バネが設けら
れ、前記免震バネの一側に締結ボルトが設けられているエコ型空気浄化デバイスを提供し
ている。
【０００６】
好ましくは、前記濾過チャンバーの頂端における緩衝ピンに対応する位置に固定溝が設
けられ、且つ固定溝の底端に緩和パッドが設けられている。
【０００７】
好ましくは、前記集塵風機と濾過チャンバーの接続位置に免震パッドが取付けられてい
る。
【０００８】
好ましくは、前記浄化チャンバーは両段を備えており、且つ底段部分は進風口７とし、
頂段部分は封止リングとする。
【０００９】
好ましくは、前記グリル濾過メッシュと繊維濾過メッシュはストッパピンにより透明頂
蓋の底端表面に取付けられている。
【００１０】
従来の技術と比べて、本実用新案の有益な効果は以下の通りである。
１）  本実用新案においては、メンテナンスユニットを設けることにより、強磁片相互
吸引という原理によって頂蓋を固定する。デバイスメンテナンスの便利性を向上し、操作
が簡単で、空気浄化の質量を保証でき、環境の汚染を低減させ、浄化効率を向上する。
２）  本実用新案においては、風機調節ユニットを設けることにより、ほこり検測セン
サによりほこりの濃度を測定し、かつ電気制御パネルにより風機を調節することによって
、エネルギーの消耗を低減させ、デバイスの適用性が優れるようになり、浄化効果を保証
し、空気拡散の効果もよく、空気の流れ方向が適宜であり、エコ効果を確保する。
【図面の簡単な説明】
【００１１】
【図１】本実用新案の構成模式図。
【図２】本実用新案のメンテナンスユニットの構成模式図。
【図３】本実用新案の風機調節ユニットの構成模式図。
【考案を実施するための形態】
【００１２】
以下、本実用新案の実施例および附図を利用して、本実用新案実施例中における技術案
をさらに明確的に、十分的に説明する。明らかには、記載した実施例は、単に本実用新案
の一部実施例であり、すべての実施例とは理解できない。本実用新案の実施例に基づいて
、本分野の当業者によって創造的な労働を費やさず得られる全ての実施例は、本実用新案
に保護を求める範囲に含まれる。
【００１３】
図１〜３に示すように、本実用新案は以下の技術案を提供する。本考案にかかるエコ型
空気浄化デバイスはメンテナンスユニット１、第二の強磁性棒２、集塵風機３および濾過
チャンバー８を含むデバイスであって、メンテナンスユニット１の底端に濾過チャンバー
８が設けられ、濾過チャンバー８の頂端に対称的に第二の強磁性棒２が設けられ、第二の
強磁性棒２の底端に集塵風機３が設けられ、集塵風機３の一側に浄化チャンバー５が設け
られ、浄化チャンバー５の内部に活性炭吸着網６が設けられ、活性炭吸着網６の底端に進
風口７が設けられ、進風口７の底端に風機調節ユニット４が設けられている。
【００１４】
メンテナンスユニット１は固定フィンガータッピング１１、第一の強磁性棒１２、緩衝
ピン１３、グリル濾過メッシュ１４、繊維濾過メッシュ１５、透明頂蓋１６、扇風機１７
および凸レンズ１８を含み、透明頂蓋１６の一側に対称的に第一の強磁性棒１２が設けら
れ、第一の強磁性棒１２の頂端に固定フィンガータッピング１１が設けられ、第一の強磁
性棒１２の一側に緩衝ピン１３が設けられ、緩衝ピン１３における第一の強磁性棒１２と
反対側にグリル濾過メッシュ１４が設けられ、グリル濾過メッシュ１４における緩衝ピン
１３と反対側に繊維濾過メッシュ１５が設けられ、繊維濾過メッシュ１５の一側に扇風機
１７が設けられ、扇風機１７の頂端の一側に対称的に凸レンズ１８が設けられている。
【００１５】
風機調節ユニット４は回転底板４１、電気制御パネル４２、ステップモータ４３、ほこ
り検測センサ４４、固定ベース４５、締結ボルト４６および免震バネ４７を含み、固定ベ
ース４５の内部に電気制御パネル４２が設けられ、電気制御パネル４２の一側にステップ
モータ４３が設けられ、ステップモータ４３における電気制御パネル４２と反対側にほこ
り検測センサ４４が設けられ、ほこり検測センサ４４の頂端に回転底板４１が設けられ、
回転底板４１の内部に均一に間隔をおいて対称的に免震バネ４７が設けられ、免震バネ４
７の一側に締結ボルト４６が設けられている。
【００１６】
メンテナンスユニット１が起動するときに衝撃力が大きすぎることを防ぐために、本実
施例において、好ましくは、濾過チャンバー８の頂端における緩衝ピン１３に対応する位
置に固定溝が設けられ、且つ固定溝の底端に緩和パッドが設けられている。
【００１７】
集塵風機３の安定性を向上するために、本実施例において、好ましくは、集塵風機３と
濾過チャンバー８の接続位置に免震パッドが取付けられている。
【００１８】
空気がフィルターされた後に浄化チャンバー５を通さないまま排出されることを回避す
るために、本実施例において、好ましくは、浄化チャンバー５は両段を備えており、且つ
底段部分は進風口７とし、頂段部分は封止リングとする。
【００１９】
グリル濾過メッシュ１４と繊維濾過メッシュ１５の快速な取り付けと取り外しを保証す
るために、本実施例において、好ましくは、グリル濾過メッシュ１４と繊維濾過メッシュ
１５はストッパピンにより透明頂蓋１６の底端表面に取付けられている。
【００２０】
本実用新案における扇風機１７と集塵風機３はすでに公開した広範囲に日常生活に応用
される従来の技術である。その動作原理は、電気駆動により気流を生じる装置として、内
置されるインペラは電源が投与され回転し、自然風となり、抽風や扇風の効果を達成する
。本実施例においてはＡＩＧＯ−０８型番のものを採用している。
【００２１】
本実用新案における電気制御パネル４２はすでに公開した広範囲に日常生活に応用され
る従来の技術である。その動作原理は、遠距離で接触器、電磁アクチュエータ、リレーコ
イル及び他の制御回路をコントロールすることに用いられるもので、電気連動回路に用い
られてもよく、本実施例においてはＬＡ５３型番のものを採用している。
【００２２】
本実用新案におけるほこり検測センサ４４はすでに公開した広範囲に日常生活に応用さ
れる従来の技術である。その動作原理は、テストレーザーが埃の粒子に散乱された後、感
光素子に受光され、パルス信号が生じられ、該信号が出力され増幅され、そしてデジタル
信号処理が行われる。本実施例においてはＧＰ２Ｙ１０５１ＡＵ０Ｆ型番のものを採用し
ている。
【００２３】
本実用新案の動作原理及び使用手順は以下の如くである。まず、空気浄化デバイスを平
坦なデスクトップに置く。そして、ほこり検測センサ４４をオンとして室内のほこり濃度
を検測する。浄化必要のレベルに達したまでに空気浄化デバイスを起動しなくてもよく、
これによりエコとなる。一定の濃度になり且つ人体に及ばす危害が大きくない場合には、
ステップモータ４３を起動して回転底板４１が連動して回転し、回転底板４１が回転して
集塵風機３が回転し、集塵風機３により空気を濾過チャンバー８の内部に吸入し、グリル
濾過メッシュ１４と繊維濾過メッシュ１５により空気中の顆粒汚染物がブロックされてか
ら、浄化チャンバー５の内部に進入して、活性炭吸着網６により有毒物質を吸着すること
により、全方位な空気浄化を保証する。一方、ほこり濃度が非常に高い場合には、集塵風
機３を起動して空気を浄化してもよく、これにより浄化の効率を向上し、快速浄化を実現
する。長期間使用を経た後に凸レンズ１８により濾過チャンバー８中のグリル濾過メッシ
ュ１４と繊維濾過メッシュ１５を観察することができる。グリル濾過メッシュ１４と繊維
濾過メッシュ１５に大量のほこりが付けられる場合、固定フィンガータッピング１１によ
り第一の強磁性棒１２と第二の強磁性棒２を分離させばよく、そして透明頂蓋１６も連動
して移動し、透明頂蓋１６が移動してグリル濾過メッシュ１４と繊維濾過メッシュ１５が
連動して移動する。ストッパピンにより快適に交換必要なグリル濾過メッシュ１４と繊維
濾過メッシュ１５を取り外し、清潔と交換の便利性を確保する。
【００２４】
前記述べたものは、本考案の実施形態だけであり、前記の具体的な実施形態は、普通技
術者は本考案の原理と精神の範疇内において、各種の変形及び修正、置換、変形を行うこ
とができる。本実用新案の保護範囲は、実用新案登録請求の範囲及びその均等物である。
【符号の説明】
【００２５】
１  メンテナンスユニット
１１  固定フィンガータッピング
１２  第一の強磁性棒
１３  緩衝ピン
１４  グリル濾過メッシュ
１５  繊維濾過メッシュ
１６  透明頂蓋
１７  扇風機
１８  凸レンズ
２  第二の強磁性棒
３  集塵風機  
４  風機調節ユニット
４１  回転底板
４２  電気制御パネル
４３  ステップモータ
４４  ほこり検測センサ
４５  固定ベース
４６  締結ボルト
４７  免震バネ
５  浄化チャンバー
６  活性炭吸着網
７  進風口
８  濾過チャンバー
【図１】
0003224362.tif 000003
【図２】
0003224362.tif 000004
【図３】
0003224362.tif 000005